(57)【要約】【課題】  再生された日時に対応して録画情報を再生する。【解決手段】  放送装置２００から受信した番組情報と広告情報とを録画する録画部１１０と、録画部１１０により録画される際に番組情報の中で広告情報の位置と、広告情報が録画された日時とを記憶する番組情報記憶部１１２と、再生される日時が広告情報を録画した日時から一定期間が経過している場合に、放送装置２００へ代替情報の送信を要求し、その要求に応答して放送装置２００から送信された代替情報を記憶する代替情報記憶部１１４と、録画部１１０に記憶された広告情報を代替情報記憶部１１４に記憶された代替情報により代替して、番組情報と広告情報とを再生する再生出力部１０８とを含む。【選択図】        図１
2005304057.tif 000002
【特許請求の範囲】
【請求項１】
情報を提供する情報提供装置と、前記情報提供装置から提供される情報を受信して再生する情報再生装置とを含む情報再生システムであって、
前記情報提供装置は、
番組情報を記憶するための番組情報記憶手段と、
広告情報を記憶するための広告情報記憶手段と、
前記番組情報と前記広告情報を、番組に連動した広告の出力タイミングを規定するタイミング情報を含めて送信するとともに、前記情報再生装置からの要求に応じて代替となる広告情報を送信するための送信手段とを含み
前記情報再生装置は、
前記情報提供装置から送信される、前記番組情報、前記広告情報、前記タイミング情報を録画するための録画手段と、
録画された広告情報が一定期間を経過している場合に、代替広告情報を前記情報提供装置に要求するための要求手段と、
前記情報提供装置から送信される代替広告情報を記憶するための代替広告情報記憶手段と、
録画された番組情報を再生するとともに、前記タイミング情報に従って、前記広告情報および前記代替広告情報の少なくともいずれかを再生するための再生手段とを含む、情報再生システム。
【請求項２】
前記タイミング情報は、番組開始から広告が出力されるまでの経過時間を表わす情報である、請求項１に記載の情報再生システム。
【請求項３】
前記要求手段は、広告情報を取得してからの経過時間を判断して、前記代替広告情報を前記情報提供装置に要求するための手段を含む、請求項１に記載の情報再生システム。
【請求項４】
前記要求手段は、一定期間を経過している広告を代替する、複数の代替広告を一括して要求するための手段を含む、請求項１に記載の情報再生システム。
【請求項５】
番組情報と広告情報を、番組に連動した広告の出力タイミングを規定するタイミング情報を含めて送信するとともに、情報再生装置からの要求に応じて代替となる広告情報を送信する情報提供装置と、前記情報提供装置から提供される情報を受信して再生する情報再生装置とを含む情報再生システムに用いられる情報再生装置であって、
前記情報提供装置から送信される、前記番組情報、前記広告情報、前記タイミング情報を録画するための録画手段と、
録画された広告情報が一定期間を経過している場合に代替広告情報を前記情報提供装置に要求するための要求手段と、
前記情報提供装置から送信される代替広告情報を記憶するための代替広告情報記憶手段と、
録画された番組情報を再生するとともに、前記タイミング情報に従って、前記広告情報および前記代替広告情報の少なくともいずれかを再生するための再生手段とを含む、情報再生装置。
【請求項６】
前記タイミング情報は、番組開始から広告が出力されるまでの経過時間を表わす情報である、請求項５に記載の情報再生装置。
【請求項７】
前記要求手段は、広告情報を取得してからの経過時間を判断して、前記代替広告情報を前記情報提供装置に要求するための手段を含む、請求項５に記載の情報再生装置。
【請求項８】
前記要求手段は、一定期間を経過している広告を代替する、複数の代替広告を一括して要求するための手段を含む、請求項５に記載の情報再生装置。
【発明の詳細な説明】
【技術分野】
【０００１】
本発明は、記録された情報を再生する技術に関し、特に、再生される日時に対応して情報を再生する技術に関する。
【背景技術】
【０００２】
放送局から受信したコマーシャルを含む番組情報を録画しておき後日再生する場合に、放送局から受信して記録したコマーシャルがそのまま再生される。受信した番組情報に含まれるコマーシャルは、視聴者に視聴されて初めて商品などを宣伝することができるが、視聴者が興味のないコマーシャルは、積極的に見られることが少なく、再生時にコマーシャル部分が早送りされることすらある。
【０００３】
このようなことから、視聴者が、視聴者自身の嗜好に基づいて、コマーシャルを複数の候補の中から選択できるようにして、より有効にコマーシャルを視聴させることを可能にした、特開平１０−７９７１１号公報（特許文献１）に開示されるコマーシャル選択再生方法がある。
【０００４】
この公報に開示されたコマーシャル選択再生方法は、放送局と、この放送局から送信される番組情報を受信および再生する放送受信機とを含む放送システムで使用されるコマーシャル選択再生方法であって、番組情報ごとにその番組情報の中で参照すべきコマーシャル候補を指定するコマーシャル候補情報を多重化して、放送局から放送受信機に送信する送信ステップと、放送受信機で再生されるコマーシャルを制限するために放送受信機に登録された制限情報と、放送受信機で選択された番組情報に対応するコマーシャル候補情報とに基づいて、放送受信機に予め蓄積されたコマーシャルの中から再生すべきコマーシャルを選択する選択ステップと、選択ステップにて選択されたコマーシャルを放送受信機で再生する再生ステップとを含む。
【０００５】
この発明によると、コマーシャルは、放送受信機に予め蓄積されており、放送局からは、番組情報毎にその番組情報の中で参照すべきコマーシャルを指定するコマーシャル候補情報が多重化されて送信される。番組情報に挿入されるコマーシャルは、視聴されている番組情報に対応したコマーシャル候補情報と予め視聴者などによって登録された制限情報とに基づいて選択され、コマーシャル候補情報で指定されたいくつかの候補の中で視聴者の嗜好にあった商品等の宣伝が視聴されることになる。その結果、視聴者毎に異なる適切なコマーシャルを、番組内容とコマーシャルとの関係を保持した状態で提供することができる。
【特許文献１】特開平１０−７９７１１号公報
【発明の開示】
【発明が解決しようとする課題】
【０００６】
しかしながら、上述した公報に開示された発明では、コマーシャルを視聴者の嗜好に応じて選択することができるが、選択候補の全てのコマーシャルが放送受信機に予め蓄積されている必要があるため、放送受信機に大容量の記憶装置が必要となる。また、予め蓄積されたコマーシャルから嗜好に応じたコマーシャルを選択していたのでは、再生時にはコマーシャルが古いものとなっていて、コマーシャルにより宣伝される商品等が販売終了となっている場合がある。
【０００７】
本発明は、上述の課題を解決するためになされたものであって、記録された情報を再生する場合に、再生された日時に対応して情報を再生することができる情報再生システム、そのシステムに用いられる情報再生装置を提供することである。
【課題を解決するための手段】
【０００８】
第１の発明に係る情報再生システムは、情報を提供する情報提供装置と、情報提供装置から提供される情報を受信して再生する情報再生装置とを含む情報再生システムである。この情報提供装置は、番組情報を記憶するための番組情報記憶手段と、広告情報を記憶するための広告情報記憶手段と、番組情報と広告情報を、番組に連動した広告の出力タイミングを規定するタイミング情報を含めて送信するとともに、情報再生装置からの要求に応じて代替となる広告情報を送信するための送信手段とを含む。この情報再生装置は、情報提供装置から送信される、番組情報、広告情報、タイミング情報を録画するための録画手段と、録画された広告情報が一定期間を経過している場合に、代替広告情報を情報提供装置に要求するための要求手段と、情報提供装置から送信される代替広告情報を記憶するための代替広告情報記憶手段と、録画された番組情報を再生するとともに、タイミング情報に従って、広告情報および代替広告情報の少なくともいずれかを再生するための再生手段とを含む。
【０００９】
第２の発明に係る情報再生システムにおいては、第１の発明の構成に加えて、タイミング情報は、番組開始から広告が出力されるまでの経過時間を表わす情報である。
【００１０】
第３の発明に係る情報再生システムにおいては、第１の発明の構成に加えて、要求手段は、広告情報を取得してからの経過時間を判断して、代替広告情報を情報提供装置に要求するための手段を含む。
【００１１】
第４の発明に係る情報再生システムにおいては、第１の発明の構成に加えて、要求手段は、一定期間を経過している広告を代替する、複数の代替広告を一括して要求するための手段を含む。
【００１２】
第５の発明に係る情報再生装置は、番組情報と広告情報を、番組に連動した広告の出力タイミングを規定するタイミング情報を含めて送信するとともに、情報再生装置からの要求に応じて代替となる広告情報を送信する情報提供装置と、情報提供装置から提供される情報を受信して再生する情報再生装置とを含む情報再生システムに用いられる情報再生装置である。この情報再生装置は、情報提供装置から送信される、番組情報、広告情報、タイミング情報を録画するための録画手段と、録画された広告情報が一定期間を経過している場合に代替広告情報を情報提供装置に要求するための要求手段と、情報提供装置から送信される代替広告情報を記憶するための代替広告情報記憶手段と、録画された番組情報を再生するとともに、タイミング情報に従って、広告情報および代替広告情報の少なくともいずれかを再生するための再生手段とを含む。
【００１３】
第６の発明に係る情報再生装置においては、第５の発明の構成に加えて、タイミング情報は、番組開始から広告が出力されるまでの経過時間を表わす情報である。
【００１４】
第７の発明に係る情報再生装置においては、第５の発明の構成に加えて、要求手段は、広告情報を取得してからの経過時間を判断して、代替広告情報を情報提供装置に要求するための手段を含む。
【００１５】
第８の発明に係る情報再生装置においては、第５の発明の構成に加えて、要求手段は、一定期間を経過している広告を代替する、複数の代替広告を一括して要求するための手段を含む。
【発明を実施するための最良の形態】
【００１６】
以下、図面を参照しつつ、本発明の実施の形態について説明する。以下の説明では、同一の部品には同一の符号を付してある。それらの名称および機能も同じである。したがってそれらについての詳細な説明は繰返さない。
【００１７】
図１を参照して、本発明の実施の形態に係る録画再生システムは、ユーザの自宅などに設置される録画再生装置１００と、録画再生装置１００と通信線１５０にて接続された放送局に設置される放送装置２００とを含む。
【００１８】
本実施の形態においては、録画再生装置１００は放送装置２００から通信線１５０を介してテレビ番組情報および広告情報を受信するとして説明するが、これに限定されるものではない。たとえば、テレビ番組情報と広告情報とを、放送装置２００から通信線１５０を介して受信するものではなく、放送装置２００から地上の通信設備を介して地上波により受信するものでも、放送装置２００から通信衛星を介して通信衛星からの電波により受信するものでもよい。
【００１９】
録画再生装置１００が受信して再生する番組は、テレビ番組ではなく、ラジオ番組などでもよい。番組情報とともに送信される情報は、広告情報ではなく、天気予報情報などでもよい。録画再生装置１００が再生する情報は、放送装置２００から受信して記録した情報ではなく、予め番組情報と広告情報とが記録されている記録媒体などの情報でもよい。
【００２０】
図１を参照して、本実施の形態の発明に係る録画再生システムに用いられる録画再生装置１００は、録画再生装置１００の各部を制御する制御部１０２と、放送装置２００に接続され、録画再生装置１００と放送装置２００との間で各種情報を送受信するためのインターフェイスである通信部１０４と、現在の日時を検知して検知した日時信号を制御部１０２へ送信する時刻管理部１０６と、外部のモニタなどに接続され録画部に録画されたテレビ番組を再生してモニタに出力する再生出力部１０８と、放送装置２００から受信したテレビ番組を記録する録画部１１０と、録画部１１０に記録されたテレビ番組のインデックス情報を録画番組ＩＤ毎に記憶する番組情報記憶部１１２と、録画部１１０に記録されたテレビ番組の中の広告情報を代替する代替広告情報を記憶する代替広告情報記憶部１１４とを含む。
【００２１】
なお、これらの制御部１０２、通信部１０４、時刻管理部１０６、再生出力部１０８、録画部１１０、番組情報記憶部１１２および代替広告情報記憶部１１４は、録画再生装置１００の内部においてバスにより接続され、相互にデータの送受信が可能である。
【００２２】
制御部１０２は、ユーザが、放送装置２００から受信したい番組を特定する番組ＩＤを入力したり、録画部１１０に記録された番組の中から再生したい番組を特定する録画番組ＩＤを入力したりする数字キーと、録画要求を入力する録画要求ボタンと、再生要求を入力する再生要求ボタンとからなる入力部を含む。制御部１０２は、一時的にデータを記憶するメモリを含む。
【００２３】
図１を参照して、本実施の形態に係る録画再生システムの放送装置２００は、放送装置２００の各部を制御する放送装置制御部２０２と、録画再生装置１００に接続され、録画再生装置１００に番組情報および広告情報を送信する通信インターフェイスである放送装置通信部２０４と、各種の情報を記憶する情報記憶部２０６とを含む。なお、放送装置制御部２０２と放送装置通信部２０４と情報記憶部２０６とは、放送装置２００の内部においてバスにより接続され、相互にデータの送受信が可能である。
【００２４】
情報記憶部２０６は、放送装置番組情報記憶部２０８と、広告情報記憶部２１０とを含む。放送装置番組情報記憶部２０８は、録画再生装置１００の録画要求に応答して送信する番組情報と広告情報とを記憶する。広告情報記憶部２１０は、各広告主ごとに最新の広告情報を記憶する。図４を参照して、広告情報記憶部２１０は、広告主および広告時間毎に広告データを記憶する。たとえば、広告主がＡ社で広告時間が３０秒の広告データは、Ａ０３０というデータ名で広告情報記憶部２１０に記憶されている。これらの広告データは、広告主と広告時間とにより一意に特定できる、つまり広告主と広告時間とをキーとして１つの広告データが検索できる。
【００２５】
図２を参照して、情報再生装置１００が放送装置２００から通信部１０４を介して受信するテレビ番組情報および広告情報は、番組ＩＤを含むヘッダと、時間の経過に従って記録された、番組情報１、１回目の広告を表わす広告情報１、番組情報２、２回目の広告を表わす広告情報２、番組情報３、…、と番組終了フラグとを含む。各広告情報は、その広告の広告主を表わす広告主情報を含む。各広告情報の開始時には、制御部１０２が識別できる、広告情報の開始を示す広告情報開始フラグと広告情報の終了を示す広告情報終了フラグとが記録されている。このような、番組情報および広告情報が放送装置２００から送信され、録画再生装置１００の録画部１１０に記録される。
【００２６】
図３を参照して、番組情報記憶部１１０にて記憶されるインデックスファイルは、番組インデックスデータと広告インデックスデータとを含む。番組インデックスデータは、番組の録画日時データと、録画した番組を特定する録画番組ＩＤとを含む。広告インデックスデータは、前述の図２における番組が開始されてから広告が放送される順に記録された、広告情報１のインデックスデータ、広告情報２のインデックスデータ、広告情報３のインデックスデータ、…を含む。各広告情報は、広告情報開始フラグにより特定される、番組が開始されてからその広告が開始されるまでの経過時間（開始）データと、広告情報終了フラグにより特定される、番組が開始されてからその広告が終了するまでの経過時間（終了）データと、広告主データと、広告情報取得日時データとを含む。たとえば、録画番組ＩＤが０１３５３で示される番組インデックスデータは、録画日時が２０００年３月１４日、録画開始時刻が１２時３０分、録画終了時刻が１４時００分であることを示すデータを含む。この録画番組ＩＤの広告インデックスデータは、番組開始から５分後に広告主Ａ社の広告が開始して、番組開始から６分後にその広告が終了していることを示す。また、広告情報取得日時データは、この広告が２０００年３月１４日１２時３５分に記録されていることを示す。
【００２７】
図５を参照して、録画再生装置１００の制御部１０２で実行されるプログラムは、録画処理に関し、以下のような制御構造を有する。
【００２８】
ステップ（以下、ステップをＳと略す。）１００にて、制御部１０２は、放送装置２００へ送信される、番組受信要求が入力されたか否かを判断する。この判断は、録画再生装置１００に設けられた数字キーにより番組を特定する番組ＩＤが入力された後に録画要求ボタンが押下されたか否かにより行なわれる。放送装置２００への番組受信要求が入力されると（Ｓ１００にてＹＥＳ）、処理はＳ１０２へ移される。一方、放送装置２００への番組受信要求が入力されないと（Ｓ１００にてＮＯ）、処理はＳ１００へ戻され、番組受信要求の入力を待つ。
【００２９】
放送装置２００は、録画再生装置１００から番組ＩＤとともに番組受信要求を受信すると、番組ＩＤにより特定される、情報記憶部２０６の放送装置番組情報記憶部２０８に記憶された番組情報と広告情報とを、通信線１５０を介して録画再生装置１００に送信する。
【００３０】
Ｓ１０２にて、制御部１０２は、通信部１０４を介して放送装置２００から送信された番組情報および広告情報を受信する。Ｓ１０４にて、制御部１０２は、録画部１１０に番組の録画の開始を指示する。この指示により、録画部１１０は、通信部１０４を介して受信した番組情報および広告情報の記録を開始する。このとき、制御部１０２は、時刻管理部１０６から現在日時を取得して、録画開始時刻として記憶する。
【００３１】
Ｓ１０６にて、制御部１０２は、図３に示す広告インデックスファイルの番組インデックスデータの録画番組ＩＤを、放送装置２００から受信した番組ＩＤに基づいて生成し、番組インデックスデータの録画日時データ（開始）を、Ｓ１０４にて記憶した録画開始時刻に基づいて生成する。生成された番組インデックスデータは、番組情報記憶部１１２に記憶される。
【００３２】
Ｓ１０８にて、制御部１０２は、通信部１０４を介して受信している放送装置２００からの情報の中に広告開始フラグを検出したか否かを判断する。広告開始フラグを検出すると（Ｓ１０８にてＹＥＳ）、処理はＳ１１０へ移される。一方、広告開始フラグを検出しないと（Ｓ１０８にてＮＯ）、処理はＳ１１８へ移される。
【００３３】
Ｓ１１０にて、制御部１０２は、時刻管理部１０６から現在日時を取得して、Ｓ１０６にて記憶した録画開始時刻から取得した現在日時までの経過時間を経過時間（開始）データとして記憶する。また、制御部１０２は、送信された広告情報に含まれる広告主データを記憶する。Ｓ１１２にて、制御部１０２は、通信部１０４を介して受信している放送装置２００からの情報の中に広告終了フラグを検出したか否かを判断する。。広告終了フラグを検出すると（Ｓ１１２にてＹＥＳ）、処理はＳ１１４へ移される。一方、広告終了フラグを検出しないと（Ｓ１１２にてＮＯ）、処理はＳ１１２へ移され、広告終了フラグの検出を待つ。
【００３４】
Ｓ１１４にて、制御部１０２は、時刻管理部１０６から現在日時を取得して、Ｓ１０６にて記憶した録画開始時刻から取得した現在日時までの経過時間を経過時間（終了）データとして記憶する。
【００３５】
Ｓ１１６にて、制御部１０２は、Ｓ１１０にて記憶した経過時間（開始）データ、広告主データおよびＳ１１４にて記憶した経過時間（終了）データに基づいて、広告情報インデックスファイルの広告インデックスデータを生成し、番組情報記憶部１１２に記憶する。その後、処理はＳ１０８へ戻され、さらに別の広告開始フラグを検出したか否かが判断される。
【００３６】
Ｓ１１８にて、制御部１０２は、Ｓ１０８にて広告開始フラグを検出しない場合、番組が終了したか否かを判断する。この判断は、放送装置２００から通信部１０４を介して番組終了フラグを受信したことにより行なわれる。番組が終了したと判断されると（Ｓ１１８にてＹＥＳ）、時刻管理部１０６から現在時刻を取得し、取得した時刻から、番組インデックスデータの録画日時データ（終了）を生成して、処理は終了する。一方、番組が終了していないと判断されると（Ｓ１１８にてＮＯ）、処理はＳ１０８へ戻され、さらに別の広告開始フラグを検出したか否かが判断される。
【００３７】
以上のようにして、録画再生装置１００が放送装置２００へ番組の受信要求を送信すると、放送装置は番組情報と広告情報とを送信する。録画再生装置１００は、番組情報を受信して記録しているときに広告開始フラグを検出すると経過時間（開始）を算出し、広告情報から広告主データを読出し、広告終了フラグを検出すると経過時間（終了）を算出し、これらに基づいて広告インデックスデータを生成する。このような処理が番組が終了するまで繰返し行なわれる。その結果、録画番組ＩＤ毎に、図３に示す広告情報インデックスファイルが番組情報記憶部１１２に記憶される。なお、広告開始フラグが１つも検知されなかった場合は、番組情報記憶部１１２に記憶された広告情報インデックスファイルには、番組インデックスデータのみ存在し、広告インデックスデータは存在しない。
【００３８】
図６を参照して、録画再生装置１００で実行されるプログラムは、再生処理に関し、以下のような制御構造を有する。
【００３９】
Ｓ１５０にて、制御部１０２は、再生要求が入力されたか否かを判断する。この判断は、録画再生装置１００に設けられた数字キーにより録画番組ＩＤが入力された後に再生要求ボタンが押下されたか否かにより行なわれる。再生要求が入力されると（Ｓ１５０にてＹＥＳ）、処理はＳ１５２へ移される。一方、再生要求が入力されないと（Ｓ１５０にてＮＯ）、処理はＳ１５０へ戻され、再生要求の入力を待つ。
【００４０】
Ｓ１５２にて、制御部１０２は、番組情報記憶部１１２に記憶された録画番組ＩＤに対応するインデックスファイルを読込む。Ｓ１５４にて、制御部１０２は、Ｓ１５２にて読込んだインデックスファイルの中に、広告インデックスデータがあるか否かを判断する。広告インデックスデータがある場合には（Ｓ１５４にてＹＥＳ）、処理はＳ１５８へ移される。一方、広告インデックスデータがない場合には（Ｓ１５４にてＮＯ）、処理はＳ１５６へ移される。なお、再生要求された録画番組ＩＤに対応する広告インデックスデータがない場合とは、録画された番組が広告を含まない場合のことである。
【００４１】
Ｓ１５６にて、制御部１０２は、この録画番組ＩＤに対応する広告なしフラグをセットする。その後、処理はＳ１７２へ移される。
【００４２】
Ｓ１５８にて、制御部１０２は、時刻管理部１０６から現在日時を取得して、現在日時と再生要求された録画番組ＩＤに対応する広告インデックスデータの広告情報取得日時とを比較する。Ｓ１６０にて、制御部１０２は、広告情報取得日時から一定期間が経過しているか否かを判断する。広告情報取得日時から一定期間が経過している場合には（Ｓ１６０にてＹＥＳ）、処理はＳ１６２へ移される。一方、広告情報取得日時から一定期間が経過していない場合には（Ｓ１６０にてＮＯ）、処理はＳ１７２へ移される。
【００４３】
Ｓ１６２にて、制御部１０２は、放送装置２００へ代替広告情報の要求データを送信する。図７を参照して、Ｓ１６２にて放送装置２００へ送信される要求データは、通信ヘッダと要求情報１、要求情報２、要求情報３、…、等とデータ終了フラグとを含む。通信ヘッダは、代替広告情報要求フラグと送信元録画再生装置ＩＤと広告数データを含む。各要求情報は、広告主データと広告時間データとを含む。
【００４４】
Ｓ１６４にて、制御部１０２は、放送装置２００から代替広告情報を受信したか否かを判断する。放送装置２００から代替広告情報を受信すると（Ｓ１６４にてＹＥＳ）、処理はＳ１６６へ移される。一方、放送装置２００から代替広告情報を受信していないと（Ｓ１６４にてＮＯ）、処理はＳ１７０へ移される。図８を参照して、Ｓ１６２にて放送装置２００から受信する代替広告情報は、通信ヘッダと、代替広告情報１、代替広告情報２、代替広告情報３、…、データ終了フラグを含む。また、通信ヘッダは、代替広告情報フラグと送信先録画再生装置ＩＤとを含む。また、各代替広告情報は、広告主会社データと広告データとを含む。なお、図７に示す要求情報の数と、図８に示す代替広告情報の数とは等しい。
【００４５】
Ｓ１６６にて、制御部１０２は、Ｓ１６２にて受信した代替広告情報を、録画番組ＩＤ毎に、代替広告情報記憶部１１４に記憶する。Ｓ１６８にて、制御部１０２は、録画番組ＩＤに対応する代替フラグをセットする。
【００４６】
Ｓ１７０にて、制御部１０２は、Ｓ１６２にて放送装置２００から代替広告情報を受信していない場合、代替広告情報の要求データを送信してから一定時間が経過したか否かを判断する。放送装置２００へ代替広告情報の要求データを送信してから一定時間が経過していると（Ｓ１７０にてＹＥＳ）、処理はＳ１７２へ移される。一方、放送装置２００へ代替広告情報の要求データを送信してから一定時間が経過していないと（Ｓ１７０にてＮＯ）、処理はＳ１６４へ移され、放送装置２００から代替広告情報の受信を待つ。
【００４７】
Ｓ１７２にて、制御部１１０は、再生出力部１０８を用いて、録画部１１０により録画された録画データの再生を開始する。
【００４８】
Ｓ１７４にて、制御部１０２は、広告なしフラグがセットされているか否かを判断する。広告なしフラグがセットされていると（Ｓ１７４にてＹＥＳ）、処理はＳ１８４へ移される。一方、広告なしフラグがセットされていないと（Ｓ１７４にてＮＯ）、処理はＳ１７６へ移される。
【００４９】
Ｓ１７６にて、制御部１０２は、再生されているデータの中から広告開始フラグを検出したか否かを判断する。広告開始フラグを検出すると（Ｓ１７６にてＹＥＳ）、処理はＳ１７８へ移される。一方、広告開始フラグを検出しないと（Ｓ１７６にてＮＯ）、処理はＳ１８４へ移される。
【００５０】
Ｓ１７８にて、制御部１０２は、代替フラグがセットされているか否かを判断する。代替フラグがセットされていると（Ｓ１７８にてＹＥＳ）、処理はＳ１８０へ移される。一方、代替フラグがセットされていないと（Ｓ１７８にてＮＯ）、処理はＳ１８２へ移される。
【００５１】
Ｓ１８０にて、制御部１０２は、代替広告情報記憶部１１４から該当する代替広告情報を読出す。Ｓ１８２にて、制御部１０２は、代替フラグがセットされている場合にはＳ１８０にて読出した代替広告情報を、代替フラグがセットされていない場合には録画部１１０に記録された広告情報をそれぞれ再生する。
【００５２】
このような処理により、録画日時から再生日時まで一定期間が経過していないと、録画された広告情報が再生される。録画日時から再生日時まで一定期間が経過していると、代替広告情報が再生される。そして、録画日時から再生日時まで一定期間が経過していても、放送装置２００から代替広告情報を受信できない場合には、録画された広告情報がそのまま再生される。
【００５３】
Ｓ１８４にて、制御部１０２は、番組が終了したか否かを判断する。この判断は、前述のＳ１１８における判断と同様に、番組終了フラグを検知したことにより行なわれる。番組終了の場合には（Ｓ１８４にてＹＥＳ）、処理は終了する。番組終了でない場合には（Ｓ１８４にてＮＯ）、処理はＳ１７４へ戻される。その後、広告なしフラグがセットされていない場合には、広告開始フラグを検出するたびに代替フラグがセットされているか否かを判断し、代替フラグがセットされている場合には代替広告情報記憶部１１４から代替広告情報を読出してその代替広告情報を再生する。
【００５４】
図９を参照して、放送装置２００で実行されるプログラムは、代替広告情報検索処理に関し、以下のような制御構造を有する。
【００５５】
Ｓ２００にて、放送装置制御部２０２は、録画再生装置１００から代替広告情報の要求データを受信したか否かを判断する。録画再生装置１００から代替広告情報の要求データを受信すると（Ｓ２００にてＹＥＳ）、処理はＳ２０２へ移される。一方、録画再生装置１００から代替広告情報の要求データを受信していないと（Ｓ２００にてＮＯ）、処理はＳ２００へ戻され、要求データの受信を待つ。
【００５６】
Ｓ２０２にて、放送装置制御部２０２は、変数Ｎを初期化（Ｎ＝１）する。Ｓ２０４にて、放送装置制御部２０２は、要求データの中のＮ番目の広告情報の広告主データと広告時間データとを読出す。Ｓ２０６にて、放送装置制御部２０２は、広告情報記憶部２１０からＮ番目の広告情報の広告主データと広告時間とに基づいて代替広告情報を検索する。
【００５７】
Ｓ２０８にて、放送装置制御部は、Ｎ番目の代替広告情報として検索された広告情報を記憶する。Ｓ２１０にて、放送装置制御部２０２は、変数Ｎについて、Ｎ＝Ｎ＋１の演算を行なう。
【００５８】
Ｓ２１２にて、放送装置制御部２０２は、変数Ｎが広告数を上回っているか否かを判断する。変数Ｎが要求データのヘッダ部に含まれる広告数を上回っていると（Ｓ２１２にてＹＥＳ）、処理はＳ２１４へ移される。一方、変数Ｎが広告数以下であると（Ｓ２１２にてＮＯ）、処理はＳ２０４へ移され、次の広告情報について代替広告情報が検索される。
【００５９】
Ｓ２１４にて、放送装置制御部２０２は、広告数と等しい数の代替広告情報を、図７に示す送信元録画再生装置ＩＤにより特定される録画再生装置１００へ、図８に示すデータ形式により送信する。
【００６０】
以上のような構造およびフローチャートに基づく、録画再生装置１００および放送装置２００の動作について説明する。
【００６１】
［録画処理］
録画再生装置１００において、番組を特定する番組ＩＤを数字キーから入力して、録画要求ボタンを押下すると、録画再生装置１００から放送装置２００へ番組受信要求が送信される（Ｓ１００にてＹＥＳ）。録画再生装置１００は、放送装置２００から図２に示す広告情報および番組情報を受信する（Ｓ１０２）。録画部１１０において番組情報および広告情報の記録が開始され（Ｓ１０４）、録画日時データ（開始）、録画番組ＩＤに基づいて番組インデックスデータが生成され、番組情報記憶部１１２に記憶される（Ｓ１０６）。
【００６２】
録画部１１０にて録画中に広告開始フラグが検出されると（Ｓ１０８にてＹＥＳ）、経過時間（開始）データと広告主データとが記憶される（Ｓ１１０）。さらに録画中に広告終了フラグが検出されると（Ｓ１１２にてＹＥＳ）、経過時間（終了）データが記憶される。広告開始フラグを検出した際の経過時間（開始）データと、広告終了フラグを検出した際の経過時間（終了）データと、それらフラグにより特定される広告の広告主を表わすデータとに基づいて、広告インデックスデータが生成され、番組情報記憶部１１２に記憶される（Ｓ１１６）。
【００６３】
番組が終了するまで（Ｓ１１８にてＹＥＳ）、広告開始フラグの検出と広告終了フラグの検出とが繰返し行なわれ、広告開始フラグおよび広告終了フラグを検出するたびに、それらのフラグにより特定される広告の経過時間（開始）データ、経過時間（終了）データおよび広告主データが、広告情報インデックスファイルに記憶される。
【００６４】
以上のような録画処理により、録画部１１２には図２に示す番組情報および広告情報が記録され、番組情報記憶部１１２には図３に示すインデックスファイルが記憶される。
【００６５】
［再生処理］
録画再生装置１００において、録画番組を特定する録画番組ＩＤを数字キーから入力して、再生要求ボタンを押下すると（Ｓ１５０にてＹＥＳ）、番組情報記憶部１１２に記憶されたインデックスファイルが読込まれる（Ｓ１５２）。読込んだインデックスファイルに広告インデックスデータがあると（Ｓ１５４にてＹＥＳ）、広告情報取得日時と現在日時とが比較される（Ｓ１５８）。
【００６６】
広告情報取得日時から一定期間が経過している場合には（Ｓ１６０にてＹＥＳ）、放送装置２００へ代替広告情報の要求データを図７に示すデータ形式で送信する（Ｓ１６２）。
【００６７】
一方、放送装置２００においては、録画再生装置１００から代替広告情報の要求データを受信すると（Ｓ２００にてＹＥＳ）、変数Ｎを初期化（Ｎ＝１）して（Ｓ２０２）、Ｎ番目の広告情報の広告主データと広告時間データとを読出す（Ｓ２０４）。広告情報記憶部２１０に記憶された広告情報の中から、Ｎ番目の広告情報の広告主データと広告時間データとに基づいて代替広告情報が検索される（Ｓ２０６）。検索された広告情報が、Ｎ番目の代替広告情報として記憶され（Ｓ２０８）、変数Ｎが広告数を上回るまでは（Ｓ２１２にてＮＯ）、次の広告情報について代替広告情報が検索され、検索された広告情報が代替広告情報として記憶される。このような処理を繰返し行なうことにより、録画再生装置１００から送信された代替広告情報要求データに含まれる要求情報数の数だけの代替広告情報が生成され、図８に示すデータ形式で録画再生装置１００へ代替広告情報が送信される（Ｓ２１４）。
【００６８】
一方、録画再生装置１００においては、放送装置２００から代替広告情報を受信すると（Ｓ１６４にてＹＥＳ）、受信した代替広告情報を代替広告情報記憶部１１４に記憶する。
【００６９】
放送装置２００から代替広告情報が受信できた場合には、代替フラグがセットされる（Ｓ１６８）。
【００７０】
一方、読込んだインデックスファイルに広告インデックスデータがない場合には（Ｓ１５４にてＮＯ）、広告なしフラグがセットされる（Ｓ１５６）。また、放送装置２００へ代替広告情報の要求データを送信してから一定時間が経過しても代替広告情報を受信できない場合には（Ｓ１７０にてＹＥＳ）、代替フラグがリセットされた状態となる。
【００７１】
録画データを再生中、広告なしフラグがリセットされた状態で（Ｓ１７４にてＮＯ）、広告開始フラグを検出した場合であって（Ｓ１７６にてＹＥＳ）、代替フラグがセットされている場合には（Ｓ１７８にてＹＥＳ）、代替広告情報記憶部１１４から代替広告情報が読出され（Ｓ１８０）、読出された代替広告情報が再生される（Ｓ１８２）。一方、広告開始フラグを検出した場合であって（Ｓ１７６にてＹＥＳ）、代替フラグがリセットされている場合には（Ｓ１７８にてＮＯ）、代替広告情報が読出されることなく録画時に記録された広告情報が再生される。一方、広告なしフラグがセットされている場合には（Ｓ１７４にてＹＥＳ）、広告開始フラグを検知することなく、番組が終了するまで録画データが再生される。
【００７２】
なお、前述の説明に加えて、各広告情報の広告インデックスデータの広告情報取得日時に基づいて、各広告情報が記録されてから一定期間が経過したか否かを判断して、一定期間を経過している広告情報のみについて放送装置２００に代替広告情報を要求するようにしてもよい。このとき、図７に示す要求データの通信ヘッダの広告数は、広告情報の中で一定期間が経過した広告情報の数となる。
【００７３】
さらに、広告情報が記録された日時からの経過期間に基づいて、代替情報を要求するのではなく、広告情報が作成された日時からの経過期間に基づいて、代替情報を要求するようにしてもよい。このとき、図２に示す広告情報は、広告主データに加えて広告情報生成日時データをさらに含む。図３に示す広告インデックスデータは、広告取得日時データに代えて広告生成日時データを含む。
【００７４】
以上のようにして本実施の形態に係る録画再生システムにおいては、録画されている広告情報の再生時において、その録画時から一定期間が経過している場合には、録画再生装置から放送装置へ代替広告情報が要求される。放送装置は、記憶された広告情報の中から代替可能な広告情報を検索し、録画再生装置へ送信する。録画再生装置は、受信した代替広告情報に基づいて、録画データの再生時に広告情報を代替して再生する。その結果、記録された情報を再生する場合に、再生された日時に対応して情報を再生することができる情報再生システムを提供することができる。
【００７５】
＜変形例＞
以下、本実施の形態に係る録画再生システムの変形例について説明する。なお、以下の変形例においては、前述した実施の形態と相違する点のみを説明し、同様の構成である点については、ここでの詳細な説明は繰返さない。
【００７６】
本変形例に係る放送装置２００の放送装置番組情報記憶部２０８は、図１０に示すように、番組情報と広告情報とを別々に記憶している。番組情報は、番組ＩＤなどのヘッダ部と番組データと番組終了フラグとを含む。ヘッダ部は、この番組データを特定する番組ＩＤと、番組開始時から広告情報１が挿入されるまでの経過時間１と、番組開始時から広告情報２が挿入されるまでの経過時間２などの、広告数と等しい数の経過時間データとを含む。また、広告情報は、広告情報１、広告情報２、広告情報３、…を含む。また、それぞれの広告情報は広告主情報を含む。
【００７７】
放送装置２００は、録画再生装置１００からの番組情報受信要求に応答して、図１０に示す放送装置番組情報記憶部２０８に記憶された番組情報と広告情報とを録画再生装置１００に送信する。録画再生装置１００の録画部１１０は、放送装置２００から送信された番組情報と広告情報とを記録する。
【００７８】
本変形例においては、図１０に示す番組情報と広告情報とが録画部１１０に記録される際に、番組情報のヘッダ部に含まれる番組ＩＤ、経過時間１、経過時間２などの情報と、広告情報に含まれる広告情報１、広告情報２などから、図３に示す広告インデックスデータが生成され番組情報記憶部１１２に記憶される。図３に示す広告インデックスデータの経過時間（開始）は、ヘッダ部の経過時間により、広告インデックスデータの経過時間（終了）は、ヘッダ部の経過時間に広告情報の広告時間を加算することにより、広告情報取得日時は、ヘッダ部の経過時間に録画開始時刻を加算することにより、それぞれ算出される。
【００７９】
本変形例において、番組再生時において、記録された録画情報の広告情報取得日時から一定期間が経過している場合には、前述の説明と同様、録画再生装置１００から広告インデックスデータに基づいて放送装置２００へ代替広告情報の要求データが送信され、放送装置２００において、代替可能な広告情報が検索され、録画再生装置１００に送信される。送信された代替広告情報は、番組情報記憶部１１２に記憶される。番組の再生が開始され、番組が再生されてから経過時間１が経過すると、図１０に示す番組情報とともに受信した広告情報の広告情報１に代えて、代替広告情報記憶部１１４に記憶された代替広告情報が再生される。
【００８０】
以上のようにして、本変形例においても、記録された情報を再生する場合に、再生された日時に対応して情報を再生することができる。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８２】
以上、詳述したように、本願発明によると、情報再生装置は、記録されてから一定期間が経過した抽出情報を抽出して、抽出情報を代替するための代替情報を情報提供装置から受信する。情報再生装置は、受信した抽出情報を新しい代替情報に代替して記録情報を再生する。その結果、記録された情報を再生する場合に、再生された日時に対応して情報を再生することができる情報再生システム、そのシステムに用いられる情報再生装置および情報提供装置を提供することができる。
【図面の簡単な説明】
【００８３】
【図１】本発明の実施の形態に係る録画再生システムにおける録画再生装置および放送装置の全体構成図である。
【図２】放送装置から録画再生装置へ送信される番組情報のデータ構造を示す図（その１）である。
【図３】本発明の実施に形態に係る録画再生装置において生成されるインデックスファイルを示す図である。
【図４】本発明の実施に形態に係る放送装置の広告情報記憶部にて広告データを記憶する広告データテーブルを示す図である。
【図５】本発明の実施に形態に係る録画再生装置の録画処理の制御の手順を示すフローチャートである。
【図６】本発明の実施に形態に係る録画再生装置の再生処理の制御の手順を示すフローチャートである。
【図７】本発明の実施に形態に係る録画再生装置から放送装置へ送信される代替広告情報要求データを示す図である。
【図８】本発明の実施に形態に係る放送装置から録画再生装置へ送信される代替広告情報データを示す図である。
【図９】本発明の実施に形態に係る放送装置の代替広告情報検索処理の制御の手順を示すフローチャートである。
【図１０】放送装置から録画再生装置へ送信される番組情報のデータ構造を示す図（その２）である。
【符号の説明】
【００８４】
１００  録画再生装置、１０２  制御部、１０４  通信部、１０６  時刻管理部、１０８  再生出力部、１１０  録画部、１１２  番組情報記憶部、１１４  代替広告情報記憶部、２００  放送装置、２０２  放送装置制御部、２０４  放送装置通信部、２０６  情報記憶部、２０８  放送装置番組情報記憶部、２１０  広告情報記憶部。
【図１】
2005304057.tif 000003
【図２】
2005304057.tif 000004
【図３】
2005304057.tif 000005
【図４】
2005304057.tif 000006
【図５】
2005304057.tif 000007
【図６】
2005304057.tif 000008
【図７】
2005304057.tif 000009
【図８】
2005304057.tif 000010
【図９】
2005304057.tif 000011
【図１０】
2005304057.tif 000012